(57)【特許請求の範囲】
【請求項１】
異なった特性を有する対抗する第１及び第２の端部を有する空の飲料容器を取り扱う方法であって、容器が、第１の端部及び第２の端部の間を延びている軸線を有し、第１の端部が、容器の底部端をして規定され、第２の端部が、容器の口領域として規定される方法において、
回収器入口からその出口の方向において、容器を移動させることを含み、
容器が該入口に挿入され、移動せしめられる向きでビデオカメラの検出領域内へと又は検出領域を通過するように、容器が横になって移動せしめられるとき、容器をビデオカメラによって検出すること、
容器が、該検出領域に、第１の端部が最初であるいは第２の端部が最初で移動せしめられるかを決定すること、そして
該検出領域に第１の端部が最初で入口から供給されたということが決定されたとき、容器を出口に移送し、該検出領域に第２の端部が最初で供給されたということが決定されたとき、容器を入口に戻し、回収器の使用者に入口から容器を除去して第１の端部を最初に入口に再挿入するように刺激が与えられること
を含むことを特徴とする方法。
【請求項２】
容器の認識及び同定のための視野を有するビデオカメラによって得られた最も適切なビデオ画像を決定する工程を含む請求項１に記載の方法。
【請求項３】
瓶である容器のビデオ画像に形成された長手方向マークを観察し、そして、容器が全体的に又は部分的に液体又は他の媒体を収容していることを示す信号を出す工程を含む請求項１又は２に記載の方法。
【請求項４】
該信号を出した後回収器の使用者に容器を戻す工程を含む請求項３に記載の方法。
【請求項５】
再使用又はリサイクルする空の飲料容器を検出するための回収装置であって、
検出領域内に又は検出領域を通過するように移動せしめられる容器のビデオ画像解析のためのビデオ解析器を具備し、該ビデオ解析器が、ビデオカメラに接続されており、該解析器が、容器が検出領域に横の姿勢で移動するとき、容器がビデオカメラ視野領域に入いるとき、その向きが第１の端部が最初で、即ち底部であるか、あるいは第２の端部が最初で即ち口領域で入るかを決定するための容器の向きの計算機成分を有し、
更に、検出領域に第２の端部が最初に入ったということが決定されたときに、装置入口に容器を戻し、装置使用者に容器を第１の端部を最初に装置入口に再挿入することを刺激するための手段を有し、容器が装置入口に第１の端部が最初に入ったということが決定されたとき、容器を検出領域を通過せしめ、排出ステーションに進めることができる制御成分を有することを特徴とする回収装置。
【請求項６】
装置使用者に戻った容器を再挿入させるための該刺激が、底部が最初に装置入口に再挿入されるように、戻った容器の向きを変えることが必要なことをユーザーに信号で知らせる信号手段によって提供される請求項５に記載の回収装置。
【請求項７】
カメラによって提供されるビデオ画像における容器の位置及び移動の連続的な検出を基礎にビデオカメラの視野領域における容器の位置及び移動を決定することができる位置検出器を備えている請求項５又は６に記載の回収装置。
【請求項８】
該ビデオ解析器が、容器の認識及び同定のための視野で、容器のビデオ画像の最も良好なビデオ画像を決定することができる回路を含む請求項５，６又は７に記載の回収装置。
【請求項９】
瓶の容器に適用した場合、解析器が、瓶のビデオ画像における長手方向マークを観察するようになっている観察回路を含みこのようなマークによって、瓶が全体的に又は部分的に液体又は他の媒体を含んでいることを示すことが観察されたとき、該観察回路が、信号を出すことができる請求項５−８のいずれか１に記載の回収装置。
【発明の詳細な説明】
本発明は、異なった特性を有する対抗する第１及び第２の端部を有する空の飲料容器を取り扱う方法であって、容器が、第１の端部及び第２の端部の間を延びている軸線を融資、第１の端部が、容器の底部端をして規定され、第２の端部が、容器の口領域として規定される方法に関する。
更に、本発明は、再使用又はリサイクルする空の飲料容器を検出するための回収装置であって、検出領域内に又は検出領域を通過するように移動せしめされる容器のビデオ画像解析のためのビデオ解析器を具備し、該ビデオ解析器が、ビデオカメラに接続されている回収装置に関する。
更に、本発明は、ガラス又はプラスチックの瓶、若しくは金属、木、ガラス又はプラスチックからなる缶のような容器を検出するための方法であって、材料のリサイクル又は再使用のため、横の姿勢で、ビデオカメラを含む検出器ステーションを協働する検出区域内に又は検出区域を通過する移送方向に平行な軸線を有して容器が移動せしめられ、ビデオ画像解析が、ビデオ解析器によって行われ、該検出器ステーションが、入口と出口とを有する容器を検出するための方法に関する。
ビデオカメラで容器を観察するとこは、例えば、特に、容器の幅を測定する米国特許第４５２５１０７号に説明されているとおり公知である。米国特許第５１５０３０７号は、例えば、プラスチック又はガラスからなるリサイクル可能信号を使用する物品を検出する装置を開示している。米国特許第５３５５９８７号は、非許可物品を拒絶して、消費者に戻す機構を開示している。関連装置は、米国特許第５４４３１６４号、欧州公報第Ｂ１−０１７４５４９号、米国特許第５６７５５１６号、米国特許第４２５６９５７号、特開平８−１６８７２６号、米国特許第４８５４４４２号にも開示されている。
容器の挿入方法が、後に考慮される、横で運ばれた容器の方向に関連する問題を解決する必要性が長い間感じられていた。これは、容器の取り扱い、例えば、回収器における更なる取り扱いのために、重要である。容器が、底部を先に挿入されることが重要である。
更に、容器のこのような方向に関連した問題の解決策の必要性が長い間あった。検出器ステーションが、例えば、回収器の背部から容器を供給するために配置されており、これによって、回収器レジスタを形成し、同じ容器を数回使用するための回収器に関連した問題があり、不適切な行動が行われないように、警報機能を有することが重要である。不適切な行為は、通常の方法で挿入されるが、ねじ、ひも、あみ等が付着した容器であることがある。検出の後、回収器の入口に引き戻され、容器は、回収器の検出器ステーションに移動され、同じ容器に関して買い戻しが試みられる。
本発明によると、上記問題を解決するために、
異なった特性を有する対抗する第１及び第２の端部を有する空の飲料容器を取り扱う方法であって、容器が、第１の端部及び第２の端部の間を延びている軸線を融資、第１の端部が、容器の底部端をして規定され、第２の端部が、容器の口領域として規定される方法において、
回収器入口からその出口の方向において、容器を移動させる工程を含み、
更に、容器が該入口に挿入され、ビデオカメラの検出領域内へと又は検出領域を通過するように、容器が横になって移動せしめられるとき、容器をビデオカメラによって検出する工程、
容器が、該検出領域に、第１の端部が最初であるいは第２の端部が最初で移動せしめられるかを決定する工程、及び
該検出領域に第１の端部が最初で供給されたとき、容器を出口に移送し、該検出領域に第１の端部が最初で供給されたとき、容器を入口に戻す工程
を含むことを特徴とする方法
が提供される。
更に、本発明に従うと、
ガラス又はプラスチックの瓶、若しくは金属、木、ガラス又はプラスチックからなる缶のような容器を検出するための装置であって、
材料のリサイクル又は再使用のため、横の姿勢で、ビデオカメラを含む検出器ステーションを協働する検出区域内に又は検出区域を通過する移送方向に平行な軸線を有して容器が移動せしめられ、ビデオ画像解析が、ビデオ画像解析器によって行われ、該検出器ステーションが、入口と出口とを有する容器を検出するための装置において、
ａ）ビデオ画像解析器が、容器が、ビデオカメラ検出区域に運ばれる時、又は通過する時に、容器の連続的なビデオ画像を分析するために、ビデオカメラに接続されており、
ｂ）ビデオ画像解析器が、ビデオ画像における容器の位置及び移動の連続的な検出を基礎に、ビデオカメラの視野における容器の位置及び移動を決定するための位置検出器を含み、
ｃ）位置検出器が、検出器ステーションに対する容器の移動の方向を決定するようになっており、容器が検出器ステーション出口の下流位置から検出器セクタ又は区域の位置に移動せしめられるとき、移動方向警報を生成し、容器が検出器ステーション入口の上流位置から検出器区域に移動せしめられるとき、非移動方向警報を生成する
ことを特徴とする装置
が提供される。
更に、本発明によると、
再使用又はリサイクルする空の飲料容器を検出するための回収装置であって、
検出領域内に又は検出領域を通過するように移動せしめされる容器のビデオ画像解析のためのビデオ解析器を具備し、該ビデオ解析器が、ビデオカメラに接続されており、該解析器が、容器が検出領域に横の姿勢で移動するとき、容器がビデオカメラ視野領域に第１の端部が最初で、即ち底部で、あるいは第２の端部が最初で即ち口領域で入るかを決定するための計算機成分を有し、
更に、検出領域に第２の端部が最初に入ったときに、装置入口に容器を戻し、装置使用者に容器を第１の端部を最初に再挿入させるための手段を有し、装置に第１の端部が最初に入ったとき、容器を検出領域を通過せしめ、排出ステーションに進めることができる制御成分を有することを特徴とする回収装置
が提供される。
更に、本発明に従うと、
ガラス又はプラスチックの瓶、若しくは金属、木、ガラス又はプラスチックからなる缶のような容器を検出するための方法であって、
材料のリサイクル又は再使用のため、横の姿勢で、ビデオカメラを含む検出器ステーションを協働する検出区域内に又は検出区域を通過する移送方向に平行な軸線を有して容器が移動せしめられ、ビデオ画像解析が、ビデオ画像解析器によって行われ、該検出器ステーションが、入口と出口とを有する容器を検出するための方法において、
ａ）ビデオカメラの検出区域内に又は検出区域を通過する時に、容器の連続的なビデオ画像を解析すること、
ｂ）ビデオ画像における容器の位置と移動の連続的な検出を基礎に、ビデオカメラの視野における容器の位置及び移動を決定すること、
ｃ）検出器ステーションに対する容器の移動の方向を決定すること、
ｄ）容器が、検出器ステーション出口の下流位置から、検出器セクタ又は区域の位置に移動せしめられるとき警報を生成するか、容器が、検出器ステーション入口の上流位置から、検出器区域に移動せしめられるとき非移動方向警報を生成する
ことを特徴とする方法
が提供される。
ここで本発明を付属する図面を参照してより詳細に説明する。
図１は本発明で使用する空き瓶（缶）回収器を示す。
図２は図１に示す空き瓶（缶）回収器の回路構造を簡単なブロック図の形で示す。
図３ａ乃至ｇは図１の空き瓶（缶）回収器に於ける検出器ステーション（detector station）と関連する典型的ビデオ画像を示す。
図４は本発明の、検出器機能部分の簡略化された流れ図である。
図５ａ及び図６，７，８及び９は図１で示す空き瓶（缶）回収器で使用する好ましい分別装置を示す。
図５ｂは分別能力を高めるための分別装置の変更品を示す。
図１０乃至２１は本発明の空き瓶（缶）回収器の１部である瓶押し上げ器に関連する詳細を示す。
図２２は該瓶押し上げ器からの放出の解決策の変更品を示す。
図２３は図１０乃至２１の該瓶押し上げ器の変更品を示す。
図１は空き瓶（缶）回収器を示すが、ここでは幾つか詳細部をより見やすくするため、或る部品、とりわけ、前パネルが取り除かれている。該空き瓶（缶）回収器は３つの主要な区分１００，２００及び３００から成る。該主要な区分１００は挿入用開口部１０１を有するが、そこではガラス又はプラスチックの空き瓶の様な容器、オプションではガラス、プラスチック、金属又は木材製の空き缶の形での容器が、１対のローラー１０４，１０５上をモーター１０６により駆動される傾斜コンベアベルト１０３から成るブイ型の（V-shaped）コンベア１０２上に置かれる。該ブイ型のコンベアは又傾斜した、静止して位置付けられた摺動面１０７を有している。該摺動面は金属検出器１０８を装備していても良い。該コンベア１０２に向かって、例えば窓又は開口部１１０を通して見下ろすようにビデオカメラ１０９が置かれている。該空き瓶（缶）回収器は特に返却デポジット（return deposit）の支払と関連して有用であるが、そこではユーザーは該コンベア１０２上に容器を挿入し制御ボタン１１１を押すことにより受け入れられた容器に対するレシートを請求することが出来る。次いでレシートはプリンター１１２の開口部を経由して供給されるので該レシートを現金と交換出来る。代わって、該プリンターは硬貨支払機と交換することが出来る。更に代替え又は補足として、該装置は返却デポジットが、例えば赤十字、エスオーエス子供村（SOS-Kinderdorf）、救世軍の様なチャリテイに寄付されることを該装置ユーザーが選択的に決定出来ることが考えられる。
該回収器のユーザーに指図するために、少なくとも１つのデイスプレー１１３を使用することが有利である。しかしながら、加えて、例えば更にデイスプレー１１４を備えることも出来る。該両デイスプレーは例えば液晶型とすることも出来る。該回収機ユーザーへ容器を返すことが望ましいこれらの場合に、該区分１００の前部内に返却用開口部１１５が配置されるが該開口部は分別が行われる該区分２００と通信している。
該区分１００は更に該空き瓶（缶）回収器のユーザーにメッセージ信号を送るため或いはユーザー又は保守要員の注意を喚起する音声信号を与えるためにラウドスピーカー（loudspeaker）１１６を備えても良い。
容器が例えば液体の残りの様な幾らか中味を有して該空き瓶（缶）回収器に挿入されたか、或いは他の異種のものを含んでいるかを検出するために、該コンベア１０２の静止部１０７上に配置された例えばロードセル（load cell）１１７を備えても良い。しかしながら、下記に説明するように、挿入された容器が例えば液体の様な物質を含んでいるか否かを検出するための他の機器を備えることもある。
故障又は保守とシステム制御の場合該回収器の効率的取り扱いが行えることを保証出来るためには、特殊なデーターカードを使用することにより該回収器内のコンピューターと情報の交換を可能にするメモリーカード装置を備えることが有利である。この関連では、キーパッド１１９を該回収器に備えることが、例えば該空き瓶（缶）回収器の試験、始動そして停止や他の関連運転のためにも必要である。保守及び修理要員のためのデイスプレー１２０を適当なコンピューター１２１と関連して該回収器内に、好ましくは区分１００内に備えることも出来る。恐らくは、該空き瓶（缶）回収器はデーターが、例えば故障報告又は簡単な故障の故障修理と関連して、該回収器へ又は該回収器から遠隔通信出来るようにモデムに接続されても良い。図２で該モデムは参照番号１２２で示されている。更に、該空き瓶（缶）回収器が配置される店又はビジネス場所にポイントオブセール（ピーオーエス）コンピューター｛point-of-sale(POS)computor｝１２３を供給することは可能である。この種のコンピューターは統計的目的、店又はスーパーマーケット内精算カウンターとの通信のため、又は精算カウンターで償還されたレシートが再び償還され得ないことを保証するために有用である。
図２に示すように、前記機能部材１１３，１１４，１１１，１１６乃至１２３はマザーボード１２４に接続されており、該マザーボードはマイクロプロセサーと、メモリーとそして該マザーボードへの及びマザーボードからのデータ用の入力及び出力ユニツトとを含んでいる。該マザーボード及びかくして前記部材１１３，１１４，１１１、加えて１１６乃至１２３も又該マザーボードを経由して動作電圧、例えば直流＋２４ボルトを供給される。該マザーボード１２４は拡張バス１２８を経由してビデオキャプチャーカード１２５，モーター制御カード１２６及びモーター補助カード１２７と通信する。該ビデオキャプチャーカード１２５は該ビデオカメラ１０９からの入力を受ける。該ビデオキャプチャーカードはデジタルシグナルプロセサー、ビデオフレーム記憶装置、及びデータの入出力用手段を含んでいても良い。該ビデオキャプチャーカードは容器の形状の検出と関連して正しい照明を供給することが出来るように照明手段１２９を装備しても良い。
広義では、該ビデオキャプチャーカード１２５はビデオ映像解析器として動作する。その結果、該ビデオカメラ１０９で捉えられた該容器のビデオ画像で解析されるべきものに関する要求に応じて該ビデオキャプチャーカード１２５は多くの機能を有する。本発明に依ると、該ビデオキャプチャーカードは該容器が、横たわった配置でそしてその軸線を搬送の方向と平行にして、該ビデオカメラを通過して運ばれる間に、該ビデオ画像を解析する挿入解析器１３０を有している。その結果として、この挿入解析器は計算器部分と制御部分とを含んでいても良い。容器、例えば瓶が該コンベア１０２上に置かれる前に、該ビデオカメラ１０９は図３ａに示すように必然的にビデオ画像を示す。もし該空き瓶（缶）回収器が意図したように機能すべきである場合は、該容器は底部を最初にして挿入されることが不可欠である。図３ｂでは如何に瓶の口（瓶の頂部部分又は頚部）を最初に挿入するよう企てられたかが示されている。瓶Ｂの形で容器が頂部及び頚部Ｂ１を最初にして挿入された時、該挿入解析器１３０の計算器部分はこの場合該容器は正しくなく挿入されたことをかくして最初に確定する。該解析器１３０に含まれている制御部分は該容器Ｂが該コンベア１０２のスタートで該空き瓶（缶）回収器の挿入部分に戻されるようにする。再挿入時に容器Ｂの底部を最初に挿入するよう該容器を回す指示が該回収器ユーザーに与えられる。該容器が底部を最初にして挿入されると、概略図３ｃに示すようにビデオ画像が現れる。該容器、この場合瓶、の底部が参照番号Ｂ２により示される。
挿入された容器の配置を継続してモニターするためそして又如何なる他の容器の挿入も観察するために該ビデオ画像は連続的に撮ることを述べることが重要である。該容器の認識と確認の目的で更に進んだ解析のために最も理想的なビデオ画像が回路１３６により選択される。この様な画像解析は一般的に技術文献で説明されている。
容器の外観によって該容器のビデオ映像が種々の現れ方を示すことは直ちに理解される。かくして図３ａは該ビデオカメラ１０９を通過して供給される容器の数多くの特性的特徴を得るためにビデオカメラの利用の本質的特徴を解明するための１例として役立つに過ぎない。
もし挿入のスタート点が図３ｃに示すようであったら、該計算器部分は該容器が該容器の底部Ｂ２を最初にして該ビデオ画像内へ入ることを計算しそしてかくして該容器が区分２００又は区分３００の何れかの中の放出ステーションへ更に運ばれるようにする。
図３ｄには瓶の外側輪郭が如何に可視化されるか示されている。該容器が該ビデオカメラの視野内で取る配置は該ビデオ画像内での該容器の配置を基礎に決定される。これは該ビデオキャプチャーカードの１部を構成する配置検出器１３１に助けられて行われる。この種の配置検出器に助けられれば、該配置検出器１３１が挿入された容器間の分離を示すと同時に該検出区域の長さに対して該容器がどこにいるかを確定することが可能である。
該ビデオキャプチャーカード１２５は好ましくは容器形状計算回路１３２を含んでいるのが良い。該容器のビデオ映像を基礎にして、該回路１３２は該容器の輪郭、表面面積、断面等の様な該容器の形状の特性式を計算することが出来る。
該容器Ｂがガラス又はプラスチックの瓶であるこれらの場合には、該瓶を、例えば照明ユニツト１２９を利用して照明するのが有利である。該ビデオカメラ１０９はモノクロカメラが適切であるが、カラービデオカメラの使用も考えられる。もしカラービデオカメラを使う場合は、該ビデオキャプチャーカード１２５に含まれる色測定回路１３３を使用出来る。該ビデオキャプチャーカード１２５はバーコード読み取り器１３４を備えても良く、該読み取り器は該容器上に配置され、図３ｅで参照番号１３５により示されるバーコードを探しそして登録するために該ビデオ画像の視野を連続的に走査するように適合されている。多くの場合該バーコードは、例えば該瓶の色に関する間接的情報を提供するのでモノクロカメラを利用しても充分なのである。もし該マイクロプロセサー１２４が該バーコード読み取り器１３４によりなされたバーコード読み取りのために該容器を受け入れない場合は該バーコード読み取り器１３４に関連して該ビデオキャプチャーカードは該容器が空き瓶（缶）回収器の挿入部１１５へ戻るべく運ばれるようにする回路を備えても良い。
図１に示すように、該コンベア１０２と２０１の間、すなわちそれぞれの回転ローラ１０５と２０２の間には小さな間隙が発生する。該間隙内に従来のバーコードセンサー１６２，１６３及び１６４を配置しても良く、そしてそこでは各々は約１２０度に等しい容器上の検出範囲をカバーする。
図３ｅの参照番号１３８’は容器のビデオ画像内の典型的で起こり得る長手方向の印（markings）を示しているが、それは該瓶が全体に、又は一部に液体を含んでいることを示している。図解されてい場合は該瓶の中に少しの残りがある。これは副回路１３８で登録出来る。該瓶の重さが様々であるため、ロードセル（load cell）１１７を利用した重量測定と又容量計１３７により該ビデオ画像解析を補間することが決定的に重要である。
図３ｆ及び３ｇは検出範囲の出口にある容器を、ここでは瓶の形で示している。
該ビデオキャプチャーカード１２５はその副回路１３０，１３１，１３２，１３３，１３４，１３６及び１３８と共に、拡張バス１２８を経由してマザーボード１２４と通信しそしてモーター制御カード１２６はかくして該マザーボード１２４を経由して作動させられる。同じことがモーター補助カード１２７にも適用される。
図４は該ビデオキャプチャーカードに伴う幾つかの検出機能に関連する流れ図を示す。ブロック１３９では新しい品物が、図３ｂ又は図３ｃで示すように、容器Ｂの形で現れる。もし誰かが該回収器の後ろ、例えば区分２００又は３００から容器を挿入しようとすると、ブロック１４０がこれが起こったか否かを決定する。かくして、もし容器が図３で示すビデオ画像内で左から来るような仕方で該検出部分内へ入ると、ブロック１４０は肯定信号を発し、該信号は意図した偽物の表示としてブロック１４１で警報を始動する。もしこれが起こると、該空き瓶（缶）回収器はブロツク１４２に示すようにその機能を停止するが、それはこの場合該空き瓶（缶）回収器の手動によるリセットのために休止が必要だからである。もし偽物の意図が行われておらず、従って容器、瓶又は例えば缶が図３に示すように右から左へ該検出区域へ供給されたら、ブロツク１４０は否定信号を発し、該信号はブロツク１４３で挿入モーター１０６の動作を始動する。ブロツク１４４では該挿入解析器１３０が該容器が底部を最初にして挿入されたかを確定する。もしそうでない場合は、該ブロツク１４４から否定信号が放出され、該信号はブロツク１４５で該回収器ユーザーへの該容器、この例では瓶、を”瓶底部を最初にして”挿入するようにとのメッセージを始動する。この種のメッセージは、例えばデイスプレー１１３上に示すことが出来る。次いでブロツク１４６で示されるように、該モーター１０６は停止し該挿入は停止される。次いで短い休止があり、その間ブロツク１４７により示すように、該回収器ユーザーは該容器、すなわち、例えば該瓶又は缶を再挿入のために取り戻す。もし該容器の底部を最初にしての挿入がブロツク１４４で確定されると肯定信号が発せられる。次いで該容器の頂部、この場合該瓶の頂部部分が見えるか否かをブロツク１４８で確定する。もし図３ｄに示すように該容器の頂部が見えない場合は、該ブロツク１４８から否定信号が発せられるが、該信号はブロツク１４３を介して該挿入モーター１０６を該容器頂部が見えるようになるまで運転させる。ブロツク１４９で更に示されるようにこの場合該容器は、例えば該回路１３０乃至１３４及び１３６，１３８の１つ以上を使用することにより解析されそして分類される。もし該容器、例えば瓶が受け入れられるように思える場合は、ブロツク１５０に示すように肯定信号が発せられる。ブロツク１５１ではビデオキャプチャーカード１２５のデジタルシグナルプロセサーが該容器が検出範囲又は該形状室を通過したかを訊ねる。もし該容器がビデオ画像内で図３ｇに示す程遠く進んだ場合は、該配置検出器１３１は肯定信号を発し、該信号はブロツク１５２で示されるように該返却デポジットの値が該マザーボード１２４内に蓄積されるべきであるとの信号を送る。次いで”瓶が処理された”との信号１５３が発せられる。
ブロツク１４９での解析と分類の後もし瓶又は容器がブロツク１５０と関連して受け入れ不可能と感じられた場合、ブロツク１５０からメッセージブロツク１５４へ否定信号が行くが、該信号は”取り戻し”のメッセージを該回収器ユーザーに与える。更に、ブロツク１５５で該コンベア１０２の挿入方向の逆転が始動される。次いでブロツク１５６で示すように該容器又は瓶の除去のために休止がある。
図３及び４と関連してここまで図示し説明したように、もし容器、例えば瓶が正しくなく、すなわち口側を最初にして挿入された場合は、効率的な仕方で検出されそして同様な手段が取られることは理解されよう。
今該空き瓶（缶）回収器の区分２００を図１、２及び５乃至９を参照してより詳細に説明する。該回収器のこの区分は挿入されそして区分１００を通過した容器を分別するよう設計されている。
図１でコンベア１０２の下流に更に進むコンベア２０１が示されているが、後者は第１の回転ローラーユニツト２０２と第２の回転ローラーユニツト２０３を有している。第１のローラーユニツト２０２は静止回転軸２０４を有する。該ローラーユニツト２０２は固定されたブラケツト２０５内に設置されている。第１のモーター２０６は伝達機構２０７を介してローラーユニット２０２に作動的に連結されている。該モーター２０６はそれにより該ローラーユニツト２０２に回転を起こさせる。その結果、ローラーユニツト２０３上の溝２１２，２１３、２１４そして２１５の様なこの目的のために作られた溝の中を走る複数の隣接して配置された弾性のあるベルト又はバンド２０８、２０９、２１０そして２１１が備えられることにより第２のローラーユニツト２０３の回転も又もたらされる。該ベルト又はバンド２０８乃至２１１は、例えば円形、長方形、３角形又は他の多角形断面を有しても良い。該モーター２０６が回転しそして該伝達機構２０７を動かし、それで第１のローラーユニツト２０２がそのホルダー２０５内で回転すると、第２のローラーユニツト２０３は該コンベアベルト２０８乃至２１１の運動のために回転する。該第２のローラーユニツト２０３はホルダー２１６内に設置されている。
コンベア２０１は支持用フレーム２１７を有するが、該フレームにはその中にモーター２１９が吊られているモーターブラケツト２１８が取り付けられている。該ホルダー２１６はチルト可能である（tiltable）。モーター２１９は連結部２２０を介して該チルト可能なホルダー２１６を該コンベア２０１を横断する面内で中央位置から１つの方向又は他の方向に向きを変えられるようにされており、（図６に示すように）そこでは該第２のローラーユニツトの回転軸線は第１のローラーユニツトの回転軸線と平行である。該第２のローラーユニツトの回転軸線は図６では参照番号２２１で示されている。
検出ユニットは、マザーボード１２４とビデオキャプチャーカード１２５により示されているように、該マザーボード１２４上に有利に備えられた制御回路１５６を含んでいるが、該制御回路１５６は該容器が該ステーション２００内で外へ分別されるべきか或いは更に運ばれるべきかについての見解を伴う該検出可能な容器に関連するデータに基づいて、該第２ローラーユニツト２０３のホルダー２０６を図７及び８に示すように１つの側又は他の側へ或る角度（α１；α２）だけチルトさせるために該第２のモーター２１９を回すよう作動するが、それは該コンベア２０１上に横たわる問題の種類の容器、例えばＢを図１及び７に示す第１の出口２２２へか或いは図１に示しそして図８に示す第２の出口２２３へかと、１つの側又は他の側へ傾けるためである。もし該容器、例えば瓶又は缶が前記出口２２２又は２２３へと外へ分別されるものでない場合は、該モーター２１９は該ホルダー２１６を図６に示すように中央位置になお保つ結果、該容器Ｂはα１＝α２＝０度で更に移動されるので、該容器は該第２のローラーユニツトの下流の第３の出口２２４、すなわち第３の区分３００の入り口で（図９参照）該コンベア２０１を離れるようにされる。もし容器が第１の出口２２２へ放出される場合は、これらはシュートを経由して第１区分１００の出口１１５へ供給される。これらは欠陥があったり又は如何なる環境下でも該回収器には受け入れ出来ない容器であるかも知れない。第２の出口２２３へ放出される容器は、例えばアルミニウム缶のような金属缶であるが、それらは何れの場合もぎっしり詰めるために更に運ばれそして区分３００へは供給される必要のないものである。
出口２２３はモーター又は駆動装置２２９により駆動される制御可能なフラップ２２８を備えることが考えられる。かくして該フラップ２２８は事実上出口２２３での特別の容器分別器として役立つ。対応するフラップを出口２２２にオプションとして備えても良い（図１には示してない）。
図５乃至９に示すように、該ローラーユニツト２０２及び２０３は２重円錐形状（double-cone configuration）、いわゆる”デイアボロ（diabolo）”型を有するのが良い。該モーター２０６及び２１９は好ましくはステッピングモーターであるのが良い。
金属、例えば鋼を含む金属容器、全体的に又は部分的に鋼を含んだり鋼から成る金属缶又は異種物体（foreign body）を含む容器は該空き瓶（缶）回収器ユーザーへ返却されるために通常第１の出口２２２へと分別されるが、それはこれらの容器はそれらが圧縮もされなければ、更に取り扱われもリサイクルもされないので通常受け入れられないからである。従ってこれらは他の仕方で処理されねばならない。
もし分別を高める要求があり、そして加えて該設置現場に充分な空間がある場合は、図５ｂで参照番号２０１，２０１’、２０１”で示すように、２つ以上のコンベア２０１を前後に連結することが可能である。かくしてＮをコンベアの数とすると分別出口の数ＳはＳ＝２Ｎ＋１となる。
コンベア２０１の下流端部に、本発明に依れば瓶押し上げ器３１０が備えられているが、それは底部Ｂ２を最初にして到着する輸送された瓶Ｂを図１０と１１で右に示した横たわる配置から図１１に明確に示すような垂直な或いは立つた位置へ導く目的を有している。該瓶押し上げ器は瓶Ｂ用のガイド又はスライドをそして衝撃吸収用レスト（rest）３０３を提供する曲線型ガイドダクト又はシャフト３０２を具備している。該ガイドダクト３０２は異なる長さを有してもよくそして、図２３に示すように、例えば１つの床から下の床までのように、数メートルの距離を横切って瓶をガイドするよう作られてもよい。この目的で該ガイドダクトは、例えば立った部分３０２’を有してもよい。最も上の所で該ガイドダクト３０２’は該瓶を横たわる配置で該ガイドダクト３０２’へ移送するためにカーブした部分３０２”へ進んでもよい。代わりに、参照番号３０２”’で示すように、該瓶押し上げ器は立った配置で空き瓶（缶）回収器から放出される瓶用に使用されることも又考えられる。該瓶はかくしてその底部を該レスト３０３に向けて立つ配置に達する。オプションとして、該レスト３０３は水平に位置付けられてもよい。参照番号３０４で示す瓶安定器はステッピングモーター３０５で操作されてもよい（簡単のため図１２にのみ示す）。瓶安定器３０４は垂直スピンドル３０７に取り付けられた少なくとも１つの垂直ウイング（wing）３０６を有する回転可能なユニットである。該瓶安定器の第１の配置では、図１３に示す該ウイングは、該瓶に関して該検出部のマザーボード１２４により計算された、例えば直径、高さ及び重さの様なデータの機能として該瓶Ｂとの接触から自由であり（in contact freedom with the bottle B）、それにより該瓶は下方のレスト３０３に向かって自由に導かれことが可能である。次いで該ウイング３０６は、該マザーボードからのそして該モーター制御カード１２６を経由した制御に伴い、該瓶の部分に対して接触する図１５に示す第２の配置に移され該瓶を前記ダクト又はシャフト３０２内の背後壁３０８に向かって押す。該瓶安定器３０４は瓶排出器としての機能もするように作られている。この目的では該瓶安定器は、例えば、例としてウィング３０９及び３１０の様な追加のウイングを装備することが出来て、該モーター３０５は安定化動作中は図１４及び１５に示すように上方からみて反時計方向に回るが、一方該ユニット３０４は、図１７に示すように、時計方向に回りそれにより、好ましくはガイド壁３１２の助けを得て、該ウイング３１０に該瓶Ｂを更に先のコンベア３１１上に押させる。
好ましい実施例では、該組み合わせ型瓶安定器兼瓶排出器３０４は好ましくは３つの垂直ウイングを装備しているのがよい。しかしながら、もし該瓶の直径が小さいか又は該スピンドル３０７が該ガイドダクト又はシャフト３０２の側から幾らか離れている場合は、より少ない数のウイング又は多分より多い数のウイングを使用することも充分可能であることは理解される所である。
図１０乃至１２、１４，１６，１８及び２０から明らかに分かるように、該ウイング３０６，３０９そして３１０の少なくとも下部部分は図１２に示すようにウイング３０６用のフインガー（finger）３１３，３１４，３１５、３１６そしてウイング３０９用のフインガー３１７，３１８，３１９及び３２０のように複数のフインガーを有するように作られている。ウイング３１０上のフインガーは図２０では見えにくいがウイング３０６及び３０９上のそれらに対応した設計を有している。
特に図１１から見られるように、該背後壁３０８も又フインガー３２１，３２２，３２３、３２４及び３２５を有するように作られているので、該ウイング３０６，３０９そして３１０上の該フインガー部分は該背後壁の該フインガー３２１乃至３２５の間の相互空間の間を通過出来る。
図１２乃至２１から見られるように、該瓶安定器と瓶排出器の双方を構成する該回転ユニット内のそれぞれのウイング３０６，３０９及び３１０は僅かに曲線化されている。この曲線化されていることは制御された安定化と排出を保証するためには望ましい。好ましくは該ウイング３０６，３０９及び３１０は同じ角度的間隔を有するのがよい。
該ウイング３１０が一旦瓶Ｂを排出すると、新しい瓶Ｂが水平なレスト３０３上に入って来て丁度瓶を排出したばかりの該ウイング３１０の助けを得て安定化に準備された状態になる。かくして、本発明の好ましい実施例によると常に次の瓶に安定化効果を有するのは前の瓶を排出したウイングとなる。かくして、組み合わせ型瓶安定器兼瓶排出器３０４により効率的な運転が達成される。該レスト３０３上に瓶が入ってくることを登録するために、該ガイド又はシャフト３０２の底部の空間を見ている到着センサー３２６が該ガイドの下部に備えられてもよい。該ガイド又はシャフト３０２のより高い部分に沿って、例えば３３３及び３３４の様な瓶配置センサーを備えることも可能である。簡略化のために図１２にのみ示したモーター３２７によりコンベア３１１は駆動される。該コンベア３１１は、モーター３２７の助けを得て、排出される瓶を更に輸送されるようにする。該コンベア３１１は瓶が区分１００及び２００を通して運ばれたと同じ方向にそれらを輸送してもよく、或いは図２２に示すように横断して位置付けられたコンベア３３５の助けを得て横断方向の輸送を提供してもよい。この場合ガイド壁３２１は伸ばされそして参照番号３３６で示すように曲線を有するようにされるべきである。
モーター３２７は連続運転用に設計されたモーターであるか又は典型的ステッピングモーターであればよい。該コンベア３１１はそれ自体それぞれの端部ローラー３２８及び３２９上で公知の仕方で運転される。瓶押し上げ器３０１と関連する配置センサー３２６に関しては、ブラケット２１８へはチルト可能なホルダー２１６上に固定的に設置された指示器２２６を視る配置センサー２２５を備えることも又適切である。この仕方で該ホルダー２１６の中央位置は常に精確に登録される。更に、該コンベア２０１の実際のフレーム上の配置センサー２２７を該ホルダー２１６の位置に近く備えることが可能であるので、該センサー２２７が容器底部が該センサー２２７の位置に到達したこと登録しそして図７及び８にそれぞれ示すように１つの側又は他の側へ投げ出されるべき時に、モーター２０６は停止させられ、一方モーター２１９は図７又は８に示すように１つの側又は他の側へ該ホルダー２１６をチルトするよう動作する。
図２に示されるマザーボード１２４は、線路１５７で示すように、店又はスーパーマーケット内の精算ユニットへの或いは精算ユニットからの制御の可能性がある。交流２３０ボルトが電源１５８に供給されるが、該電源は直流＋２４ボルトをとりわけマザーボードに与える。該電源に接続してネットワーク分配器カード１５９が備えられているが、該カードはマザーボード１２４と通信する１２チャンネルの直列バスと接続されておりそしてそこでは該バスは又入出力チャンネルカード１６１と接続されており、該カードは、例えば該コンベア３１１からの放出の停止を検出時、検出器３３０からの停止信号の結果として、外部警報３３１を発する。該停止は該コンベア３１１の直ぐ後ろにある回収卓３３２が満杯になったことに起因してもよい。
該発明のアイデアからそれにより離れることなく個々の実施例の変型が勿論可能であるが、それらは下記の請求項で規定される本発明の範囲内にあるものである。
【図１】
0003989556.tif 000002
【図２】
0003989556.tif 000003
0003989556.tif 000004
【図３ａ】
0003989556.tif 000005
【図３ｂ】
0003989556.tif 000006
【図３ｃ】
0003989556.tif 000007
【図３ｄ】
0003989556.tif 000008
【図３ｅ】
0003989556.tif 000009
【図３ｆ】
0003989556.tif 000010
【図３ｇ】
0003989556.tif 000011
【図４】
0003989556.tif 000012
【図５ａ】
0003989556.tif 000013
【図５ｂ】
0003989556.tif 000014
【図６】
0003989556.tif 000015
【図７】
0003989556.tif 000016
【図８】
0003989556.tif 000017
【図９】
0003989556.tif 000018
【図１０】
0003989556.tif 000019
【図１１】
0003989556.tif 000020
【図１２】
0003989556.tif 000021
【図１３】
0003989556.tif 000022
【図１４】
0003989556.tif 000023
【図１５】
0003989556.tif 000024
【図１６】
0003989556.tif 000025
【図１７】
0003989556.tif 000026
【図１８】
0003989556.tif 000027
【図１９】
0003989556.tif 000028
【図２０】
0003989556.tif 000029
【図２１】
0003989556.tif 000030
【図２２】
0003989556.tif 000031
【図２３】
0003989556.tif 000032